(57)【要約】【課題】表示装置において平面形状の保持及び折り曲げる部分の強度を確保する。【解決手段】表示装置１は、折り曲げることが可能な柔軟性を有するフレキシブルデュスプレイパネル２と、フレキシブルディスプレイパネル２に接触するように重ねられた支持体４と、を有し、フレキシブルディスプレイパネル２は、縦方向及び横方向に拡がる平面形状を有し、縦方向に延びて横方向に隣同士の間隔をあけて位置する複数の第１領域７と、隣同士の第１領域の間に位置する第２領域９と、を含み、支持体４は、複数の第１領域７にそれぞれ対向する複数の第１支持体４ａと、第２領域９に対向する第２支持体４ｂと、を含み、複数の第１支持体４ａは、複数の第１領域７の曲がりを抑制する剛性を有し、第２支持体４ｂは、第２領域９の曲がりに抵抗しながら変形することで当該曲がりの局所的な集中を防止する柔軟性を有する。【選択図】図１
2016018198.tif 000002
【特許請求の範囲】
【請求項１】
折り曲げることが可能な柔軟性を有するフレキシブル表示パネルと、
前記フレキシブル表示パネルに接触するように重ねられた支持体と、
を有し、
前記フレキシブル表示パネルは、縦方向及び横方向に拡がる平面形状を有し、前記縦方向に延びて前記横方向に隣同士の間隔をあけて位置する複数の第１領域と、隣同士の前記第１領域の間に位置する第２領域と、を含み、
前記支持体は、前記複数の第１領域にそれぞれ対向する複数の第１支持体と、前記第２領域に対向する第２支持体と、を含み、
前記複数の第１支持体は、前記複数の第１領域の曲がりを抑制する剛性を有し、
前記第２支持体は、前記第２領域の曲がりに抵抗しながら変形することで当該曲がりの局所的な集中を防止する柔軟性を有することを特徴とする表示装置。
【請求項２】
前記第１支持体が、金属、または繊維強化プラスチックであること、
を特徴とする請求項１に記載の表示装置。
【請求項３】
前記第２支持体が、弾性体または形状記憶材料であること、
を特徴とする請求項１または２に記載の表示装置。
【請求項４】
前記第１支持体が、前記フレキシブル表示パネルに接着されていること、
を特徴とする請求項１乃至３のいずれかに記載の表示装置。
【請求項５】
前記第１支持体と、前記フレキシブル表示パネルと、の間に熱を均熱化する均熱層が設けられること、
を特徴とする請求項１乃至４のいずれかに記載の表示装置。
【請求項６】
前記支持体は、紫外線硬化樹脂の板であり、紫外線が照射された部分である複数の前記第１支持体と、紫外線が照射されなかった部分である前記第２支持体と、を有する、
請求項１に記載の表示装置。
【発明の詳細な説明】
【技術分野】
【０００１】
本発明は、表示装置に関する。
【背景技術】
【０００２】
有機エレクトロルミネッセンス表示パネルは、非常に薄く形成することができるので折り曲げることができる表示パネルとして注目されている。特許文献１及び２には、有機エレクトロルミネッセンス表示パネルの基本構造が開示されている。
【先行技術文献】
【特許文献】
【０００３】
【特許文献１】特許第５１２７１０３号
【特許文献２】特開２０１０−４８８８７号公報
【特許文献３】特開２００７−１０８６１１号公報
【発明の概要】
【発明が解決しようとする課題】
【０００４】
シート状の表示パネルは、任意の部分が変形するため、表示面の形状を保持することが難しく、折り曲げる部分の強度を確保することが難しい。あるいは、特許文献３に開示されるように、複数のディスプレイをつなぎ合わせる方式では、折り曲げることはできるが、ディスプレイのつなぎ目で額縁の幅が障害となり、連続画像を表示させる際の視認性が悪くなる問題があった。
【０００５】
本発明は、表示装置において平面形状の保持及び折り曲げる部分の強度を確保することを目的とする。
【課題を解決するための手段】
【０００６】
（１）本発明に係る表示装置は、折り曲げることが可能な柔軟性を有するフレキシブル表示パネルと、前記フレキシブル表示パネルに接触するように重ねられた支持体と、を有し、前記フレキシブル表示パネルは、縦方向及び横方向に拡がる平面形状を有し、前記縦方向に延びて前記横方向に隣同士の間隔をあけて位置する複数の第１領域と、隣同士の前記第１領域の間に位置する第２領域と、を含み、前記支持体は、前記複数の第１領域にそれぞれ対向する複数の第１支持体と、前記第２領域に対向する第２支持体と、を含み、前記複数の第１支持体は、前記複数の第１領域の曲がりを抑制する剛性を有し、前記第２支持体は、前記第２領域の曲がりに抵抗しながら変形することで当該曲がりの局所的な集中を防止する柔軟性を有することを特徴とする。本発明によれば、複数の第１支持体それぞれが、曲がりを抑制する剛性を有しているので、フレキシブル表示パネルの平面形状の保持を確保できる。また、第２支持体が、曲がりに抵抗しながら変形することで曲がりの局所的な集中を防止する柔軟性を有しているので、折り曲げる部分の強度も確保できる。
【０００７】
（２）（１）に記載された表示装置において、前記第１支持体が、金属、または繊維強化プラスチックであることを特徴としてもよい。
【０００８】
（３）（１）または（２）に記載された表示装置において、前記第２支持体が、弾性体または形状記憶材料であることを特徴としてもよい。
【０００９】
（４）（１）乃至（３）のいずれかに記載された表示装置において、前記第１支持体が、前記フレキシブル表示パネルに接着されていることを特徴としてもよい。
【００１０】
（５）（１）乃至（４）のいずれかに記載された表示装置において、前記第１支持体と、前記フレキシブル表示パネルと、の間に熱を均熱化する均熱層が設けられることを特徴としてもよい。
【００１１】
（６）（１）に記載された表示装置において、前記支持体が、紫外線硬化樹脂の板であり、紫外線が照射された部分である複数の前記第１支持体と、紫外線が照射されなかった部分である前記第２支持体と、を有することを特徴としてもよい。
【図面の簡単な説明】
【００１２】
【図１】本発明の実施形態に係る表示装置の斜視図である。
【図２】表示装置のII−II線における断面図である。
【図３】表示装置を折り曲げる様子を示す図である。
【図４】表示装置の変形例を示す斜視図である。
【図５】図４に示す表示装置を折り曲げる様子を示す図である。
【図６】表示装置の変形例を説明するための図である。
【図７】表示装置の変形例を説明するための図である。
【発明を実施するための形態】
【００１３】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１４】
図１は、本発明の実施形態に係る表示装置１の斜視図であり、図２は、表示装置１のII−II線における断面図である。図１に示すように、表示装置１は、画像を表示するフレキシブルディスプレイパネル２を備える。同図に示すように、フレキシブルディスプレイパネル２は、シートディスプレイパネルであって、Ｘ軸方向（以下、横方向と表記する）及びＹ軸方向（以下、縦方向と表記する）に拡がる平面形状（ここでは、矩形面形状）を有し、折り曲げることが可能な柔軟性を有する。具体的に、フレキシブルディスプレイパネル２は、図２に示すように、フレキシブル基板６、複数の薄膜トランジスタがアレイ状に形成されるＴＦＴ層８、有機エレクトロルミネッセンス発光する有機発光素子がアレイ状に形成されるＯＬＥＤ層１０、及び封止基板１２が積層されてなる積層構造を有する。ここでは、表示装置１が有機エレクトロルミネッセンス表示装置であるものとするが、他種の表示装置（例えば、量子ドット表示装置）であってもよい。
【００１５】
また、表示装置１は、図１に示すように、支持体４を備える。支持体４は、フレキシブルディスプレイパネル２を支持するものである。具体的に、図１及び図２に示すように、支持体４は、フレキシブルディスプレイパネル２に接触するように重ねられ、横方向に間隔をあけて設けられる複数（ここでは２つ）の第１支持体４ａを有する。また、支持体４は、隣同士の第１支持体４ａの間に設けられた第２支持体４ｂを有する。第２支持体４ｂは、第１支持体４ｂと接着され、その一部が第１支持体４ａの下面の一部を覆うように設けられる。なお、図１に示す破線は、各第１支持体４ａと第２支持体４ｂとの境界を示す。境界は縦方向に伸びている。
【００１６】
各第１支持体４ａは、それぞれ、フレキシブルディスプレイパネル２の下面の一部領域であって縦方向に伸びる第１領域７に対向している。例えば、図１に示す右側の第１支持体４ａは、右側の破線の右の第１領域７に対向し、左側の第１支持体４ａは、左側の破線の左の第１領域７に対向している。図１に示すように、各第１領域７は、横方向に間隔を空けて位置している。各第１支持体４ａは、図２に示すように、接着層１４を介しフレキシブルディスプレイパネル２に接着されている。接着層１４は、熱を均熱化する均熱層としての役割も有する。
【００１７】
なお、各第１支持体４ａは、図２に示すように、表示装置１の側壁を構成する壁部５を有しており、壁部５とフレキシブルディスプレイパネル２との間に、緩衝材１１が充填されている。
【００１８】
一方、第２支持体４ｂは、隣同士の第１領域７の間に位置する第２領域９に対向している。ここでは、第２支持体４ｂはフレキシブルディスプレイパネル２に接着されていない。
【００１９】
次に、第１支持体４ａ及び第２支持体４ｂを構成する物質について説明する。
【００２０】
第１支持体４ａは、高ヤング率（例えば、１０ギガパスカル以上）の物質（例えば、金属、または、ガラス繊維強化プラスチック及び炭素繊維強化プラスチック等の繊維強化プラスチックなど）で構成され、対向する第１領域７の曲がりを抑制する剛性を有している。よって、人間の力程度では、第１領域７が曲がらず、第１領域７は平坦に保たれる。なお、低線膨張係数（１０ｐｐｍ／℃以下）、高熱伝導率（１０Ｗ／ｍ，ｋ以上）、及び軽量であるとより好適である。
【００２１】
一方、第２支持体４ｂは、各第１支持体４ａにフレキシブルディスプレイパネル２を載せた後、第２支持体４ｂを構成する物質を第２領域９に塗布することで形成される。この表示装置１は、図３に示すように第２領域９を折り曲げ、折り畳んだ状態で持ち運びすることが想定されている。そこで、第２支持体４ｂとして、人間の力で変形可能な程度に柔らかい物質が用いられている。こうすることで、第２領域９付近を折り曲げ可能にしている。
【００２２】
但し、第２領域９の曲がりが局所的に集中し、その曲がり具合（曲率）が大きくなりすぎると、フレキシブルディスプレイパネル２の変形が局所的に集中することとなり、フレキシブルディスプレイパネル２が破損する可能性がある。そこで、この表示装置１では、第２支持体４ｂとして、第２領域９の曲がりに抵抗しながら変形する程度の柔軟性を有する物質（例えば、ゴムなどの弾性体、シリコーン（ゲル）などの形状記憶材料、水添スチレン熱可塑性エラストマーなど）が用いられている。そのため、第２領域９の曲がりが局所的に集中することが防止されるようになり、第２領域９が一様に曲がるようになる。よって、フレキシブルディスプレイパネル２の変形が局所的に集中することがないように図ることができる。なお、第２支持体４ｂは、低ヤング率（例えば、０．５ギガパスカル以下）であるのが好ましい。
【００２３】
以上のように、この表示装置１では、複数の第１支持体４ａそれぞれが、曲がりを抑制する剛性を有している。よって、フレキシブルディスプレイパネル２の平面形状の保持を確保できる。また、第２支持体４ｂが、曲がりに抵抗しながら変形する程度の柔軟性を有しているため、曲がりの局所的な集中が防止される。よって、折り曲げる部分の強度も確保できる。
【００２４】
なお、本発明は、上述した実施形態に限定されるものではなく種々の変形が可能である。
【００２５】
例えば、塗布以外の方法で第２支持体４ｂが形成されてもよい。例えば、第２支持体４ｂをテープ状の接着部材として、第２領域９に貼り付けてもよい。
【００２６】
また、例えば、図１では、第１支持体４ａが２つしかないが、第１支持体４ａが３つ以上あってもよい。図４は、表示装置１の変形例を示す図であり、第１支持体４ａが３つ以上ある表示装置１を示す斜視図である。また、図５は、図４に示す表示装置１を折り曲げる様子を示す図である。図４に示す表示装置１は、支持体４が、５つの第１支持体４ａと、隣同士の第１支持体４ａの間に設けられた４つの第２支持体４ｂと、を有しており、図５に示すように、４カ所で折り曲げ可能となっている。よって、折り畳まれたときに、図１に示す表示装置１よりもコンパクト化できる。
【００２７】
また、例えば、第１支持体４ａと第２支持体４ｂとが一体的に形成されてもよい。例えば、一枚のＵＶ硬化樹脂の板から第１支持体４ａと第２支持体４ｂとが形成されてもよい。図６及び図７は、表示装置１の変形例を説明するための図であり、支持体４がＵＶ硬化樹脂の板である場合の表示装置１を示す図である。この場合、支持体４に第１支持体４ａ及び第２支持体４ｂを形成するために、図６に示すように、支持体４上にフレキシブルディスプレイパネル２を設けた後、第２領域９に相当する領域をマスク１３によりマスクして、支持体４に紫外線を照射する。こうすることで、図７に示すように、紫外線が照射され硬化した部分（マスクされていない部分）を第１支持体４ａとして形成し、紫外線が照射されなかった部分（マスクされた部分）を第２支持体４ｂとして形成すればよい。
【００２８】
また例えば、実施形態で説明した構成は、実質的に同一の構成、同一の作用効果を奏する構成又は同一の目的を達成することができる構成で置き換えることができる。
【符号の説明】
【００２９】
１  表示装置、２  フレキシブルディスプレイパネル、４  支持体、４ａ  第１支持体、４ｂ  第２支持体、５  壁部、６  フレキシブル基板、７  第１領域、８  ＴＦＴ層、９  第２領域、１０  ＯＬＥＤ層、１１  緩衝剤、１２  封止基板、１３  マスク、１４  均熱層。
【図１】
2016018198.tif 000003
【図２】
2016018198.tif 000004
【図３】
2016018198.tif 000005
【図４】
2016018198.tif 000006
【図５】
2016018198.tif 000007
【図６】
2016018198.tif 000008
【図７】
2016018198.tif 000009